(57)【特許請求の範囲】
【請求項１】
フレキシブルな外底を備えた靴、特にサッカーブーツ、のためのスルーソール、中底または中敷として形成されるソール（１）において、
該ソールが弾性的でフレキシブルな特性を備えた材料、サンドイッチ材料および／または混合材料から形成されており、前記ソールが、踵領域（２）から足弓の領域（ウェブ領域４）に亘って足の触球の触球領域（５）にまで弾性的であるが剛性であり、これにより、これらの領域（２，４）においては、通常の負荷下では、ソールが、触球領域（５）と少なくとも僅かにシェル状の前方ソール領域（６）とにおいて、ソールの長手方向軸線に対して少なくとも横方向に、弾性的に曲がるとしてもほとんど曲がることができず、少なくとも触球領域（５）における前方ソール領域（６）と踵領域（２）とが、それぞれ両側（９，１０）において約０．５ｃｍ〜２ｃｍだけ突出させられており、これらの突出した壁部（３．９，３．１０；７．９，７．１０）の間において、それぞれの側（９，１０）に、上縁領域（３．９．１，３．１０．１；７．９．１，７．１０．１）において、少なくとも１つの完全にまたはほとんど伸長不能の引張りエレメント（１１，１２）が設けられており、これらの引張りエレメント（１１，１２）が、前記上縁領域を結合させており、さらに引張りエレメントが、特に前記上縁領域の間において自由に延びており、かつ壁部（３．９，３．１０；７．９，７．１０）に堅く結合されていることを特徴とする、ソール。
【請求項２】
フレキシブルな外底を備えた靴、特にサッカーブーツ、のためのスルーソール、中底または中敷として形成されるソール（１）において、
該ソールが弾性的でフレキシブルな特性を備えた材料、サンドイッチ材料および／または混合材料から形成されており、前記ソールが、踵領域（２）から足弓の領域（ウェブ領域４）に亘って足の触球の触球領域（５）にまで弾性的であるが剛性であり、これにより、これらの領域（２，４）においては、通常の負荷下では、ソールが、触球領域（５）および前方ソール領域（６）において、少なくともソールの長手方向軸線に対して横方向に、弾性的に曲がるとしてもほとんど曲がることができず、触球領域（５）の前方の前方ソール領域（６）と足弓の領域（４）および踵領域（２）までの触球領域の後方の領域とのそれぞれにおいて、両側（９，１０）で約０．５ｃｍ〜２ｃｍだけ突出させられており、各側における上縁領域（３．９．１，３．１０．１；７．９．１，７．１０．１）においてこれらの突出した壁部（３．９，３．１０；７．９，７．１０）の間に、少なくとも１つの完全にまたはほとんど伸長不能の引張りエレメント（１１，１２）が設けられており、これらの引張りエレメント（１１，１２）が、前記上縁領域を結合させており、これらの引張りエレメントは、特に前記上縁領域の間では自由に延びており、かつ壁部（３．９，３．１０；７．９，７．１０）に堅く結合されていることを特徴とする、ソール。
【請求項３】
前記踵領域（２）が、前記１つまたは複数の引張りエレメント（１１，１２）によって周囲を掴まれている、請求項１または２記載のソール。
【請求項４】
踵領域（２）および／または前方ソール領域（６）の突出した壁部（３．９，３．１０）が、特に側部（９，１０）において、少なくとも１つの低い区分（２０）を有しており、該低い区分において１つまたは複数の引張りエレメント（１１，１２）が自由に延びている、請求項１から３までのいずれか１項記載のソール。
【請求項５】
前記触球領域（５）の前方の前方ソール領域（６）の突出した壁部（７．９，７．１０）が、前方ソール領域（６）の残りの部分よりも高さが高い、請求項１から４までのいずれか１項記載のソール。
【請求項６】
前記前方ソール領域（６）の壁部（３．９，３．１０；７．９，７．１０）および踵（３）が、上方および外方へ角度付けられており、特に足の形状に適合されている、請求項１から５までのいずれか１項記載のソール。
【請求項７】
ソールの平面（７．１）に対する壁部（３．９，３．１０；７．９，７．１０）の外角（α）が、約４５°〜８０°である、請求項６記載のソール。
【請求項８】
前記下部ソール平面（７．１）からの壁部（３．９，３．１０；７．９，７．１０）の高さが、約０．５ｃｍ〜２ｃｍである、請求項１から７までのいずれか１項記載のソール。
【請求項９】
前記踵領域（２）と前方ソール領域（６）との間のウェブ領域（４）においてそれぞれの側に側部凹所（１４，１５）が設けられている、請求項１から８までのいずれか１項記載のソール。
【請求項１０】
前記ウェブ領域（４）の幅が、踵領域（２）の最大幅の約５分の１〜４分の３に相当する、請求項９記載のソール。
【請求項１１】
前記前方ソール領域（６）が、複数の開口（８）を有している、請求項１から１０までのいずれか１項記載のソール。
【請求項１２】
前記踵領域（２）が、踵の衝突領域に開口（３．１）を有している、請求項１から１１までのいずれか１項記載のソール。
【請求項１３】
弾性的に変形する被覆材料（１８）がソールに固定されている、特にソールにプレスされているまたはソールに糊付けされている、請求項１から１２までのいずれか１項記載のソール。
【請求項１４】
踵領域（２）に、有利には前記ソール（１）の下側（１．１）に、特に凹所（２２）または前記開口（３．１）に緩衝エレメント（２３）が設けられており、該緩衝エレメントが、ソール（１）の材料に耐久性よく結合されている、請求項１から１３までのいずれか１項記載のソール。
【請求項１５】
前記緩衝エレメント（２３）が、ハニカム構造である、請求項１４記載のソール。
【請求項１６】
周囲に延びた無端ストランドの形式の１つまたは複数の引張りエレメント（１１，１２）が、ウェブ領域（４）および／または踵領域（２）の有利には自由な領域を除いてソール（１）の上縁全体を取り囲むように延びている、請求項１から１５までのいずれか１項記載のソール。
【請求項１７】
前記１つまたは複数の引張りエレメント（１１，１２）が、場合によっては熱可塑性樹脂または熱硬化性樹脂から成る結合材料を用いてガラス繊維、炭素繊維、プラスチック繊維または紡織繊維から形成されている、請求項１から１６までのいずれか１項記載のソール。
【請求項１８】
前記１つまたは複数の引張りエレメント（１１，１２）が、ガラス、炭素、アラミド、熱可塑性樹脂または熱硬化性樹脂のうちの少なくとも１つから成る糸、繊維または繊維ストランドと、熱に曝された時に溶融して前記糸、繊維または繊維ストランドを結合させる熱可塑性樹脂または熱硬化性樹脂から成る結合材料とから成っており、前記引張りエレメントが、加熱および成形プロセスによって形成され、前記１つまたは複数の引張りエレメント（１１，１２）がソール上にまたはソール内に成形される、請求項１から１７までのいずれか１項記載のソール。
【請求項１９】
前記１つまたは複数の引張りエレメント（１１，１２）が、前記前方ソール領域（６）から、足弓の領域（４）の開始部または最大でもほぼ中間部にまで延びている、請求項１から１８までのいずれか１項記載のソール。
【請求項２０】
前記前方ソール領域（６）において、１つまたは複数の引張りエレメント（１１，１２）が、爪先の基関節から後部に向かってのみ延びている、請求項１から１９までのいずれか１項記載のソール。
【請求項２１】
前記１つまたは複数の引張りエレメント（１１，１２）が、ソール（１）上を横方向に、前記前方ソール領域（６）における一片においておよび場合によっては前記足弓領域（４）においても延びている、請求項１９または２０記載のソール。
【発明の詳細な説明】
【０００１】
本発明は、フレキシブルな外底を備えた靴のためのスルーソール、中底または中敷として形成されたソールおよびこのようなソールを備えた靴に関する。
【０００２】
フレキシブルな外底を備えた靴の場合、外底が所定の負荷状態において橋またはアーチ通路状に曲がることが知られている。これは、例えばサッカーのプレー中にボレーでシュートする場合に発生する。ここで、柔軟でフレキシブルな外底を備えた靴の場合に、靴の前方部分と共に足の前方部分が外底の柔軟性によって下方に曲げられるようにボールが打たれる。したがって、このプロセスにおいて、ソールは前方部分において下方に曲げられ、これにより、シュート時に伝達可能な力をボールに完全に伝達することができない。
【０００３】
前記の曲げを生じないように剛性化された靴が、ドイツ連邦共和国特許第１９６０１２１９号明細書から公知である。ソールの前方端部を上部に接続した前方引張りバンドとソールの踵領域を上部に接続した２つの後部側方の引張りバンドとが提供されるので剛性化が達成される。前方引張りバンドおよび２つの後部引張りバンドは甲領域において互いに接続されている。さらに、３つのバンドの連結部は、靴の一方の側から他方の側へ横方向に延びた別の引張りバンドによって固定することができる。これは、靴の前方部分が下方に曲がるのを妨止するが、ソールが丸まるのを妨止しない。負荷を受けた時に生じる曲げ方向への力は甲によって伝えられる。
【０００４】
複数の腱が甲領域に延びているので、このことは、望ましくなく、また甲領域における長期的な苦痛を伴う負荷である。さらに、この構成は、柔軟でフレキシブルな靴のソールが足弓の領域において上方に湾曲するのを妨止せずかつ、例えば固くかつ／または凍った物体に衝突した時に、足が極めて苦痛な負荷を受けるのを妨止しない。
【０００５】
本発明の目的は、甲の領域および足弓の領域における、望ましくない曲げまたは屈曲と、足にかかる負荷とを妨止することである。
【０００６】
この目的は、請求項１の特徴部および請求項１に係る請求項２によって達成される。
【０００７】
使用される弾性材料と、突出した側方領域と、上縁部領域においてこの領域に取り付けられた１つまたは複数の引張りエレメントとは、上述したタイプのあらゆる負荷がスルーソール、中底(inner sole)または中敷(insole)として形成されたソールによって伝えられかつ、上述の苦痛な負荷がもはや足に伝達されないことを保証する。
【０００８】
本発明のさらに有利な詳細が従属請求項に開示されておりかつ、この詳細を、図面に示した実施例を参照しながら以下に詳細に説明する。
【０００９】
図１は、本発明によるソールの斜視図を示している。
【００１０】
図２は、図１に示したソールの平面図を示している。
【００１１】
図３は、図１および図２に示したソールを備えた靴の区分の縦断面図を示している。
【００１２】
図４は、踵領域に設けられた緩衝エレメントと引張りエレメントのための特別なガイドとを備えたソールの側面図を示している。
【００１３】
図５は、外底が断面で示された、図４と同様の図を示している。
【００１４】
スルーソール、中底または中敷として形成されたソールが、参照符号１によって示されている。このソールは、弾性的かつフレキシブルな材料、例えば、ポリアミド、ポリウレタン、ポリエチレンまたはこれらと類似のもの等の、対応する熱可塑性樹脂または熱硬化性樹脂から形成されている。
【００１５】
特に、ソール若しくは靴１は、ガラス繊維、炭素繊維、アラミド繊維または、ポリアミド、アラミドまたはこれらと類似のものから形成されているかまたはこれらのものを基礎とするプラスチック繊維等の高い引張り強さを有する長繊維材料若しくは、例えば熱可塑性または熱硬化性結合材料と共に混合および／または被覆されかつ、熱処理、特に熱および加圧成形プロセスによって製造されかつ、特にソール１として同時に成形することもできる紡織繊維から形成されている。
【００１６】
製造は、例えば、ここで明白に参照されるドイツ連邦共和国特許出願公開第１９７１６６６６号明細書に述べられている材料を用いて、該明細書から公知の方法によって実施される。つまり、例えばプレスしたいパターンは自動ステッチング機上で製造され、この場合、例えば熱可塑的に変形可能なプラスチック粉末と混合されかつリールに巻き付けられた、炭素繊維および／またはガラス繊維および／またはアラミド繊維の無端ストランドはキャリヤ材料上に配置されかつジグザグステッチによって大まかに固定され、これにより、ストランドは所望の予め計算された位置において支持体に固定される。キャリヤ材料は、例えば製織されたかまたは編組された生地、またはプラスチックフィルムまたは繊維マットとして提供される紡織材料またはプラスチック材料であってよい。糸または繊維および／またはパターンの量、すなわち、幾何学的な構成および１つまたは２つ以上のストランドの間隔は、完成したソールの予め規定されかつ計算された特性に応じる。“縫合作業”の完了後、このようにして得られた実際的に二次元、すなわち平坦な、マットは、例えば２３０℃〜２６０℃の熱と所定の成形工具とによって三次元構造へ変形させられる。このプロセスにおいては、ストランドに含まれたプラスチック粉末（微小粒質物）は溶解し、冷却しながら所望の形状に凝固する。プラスチックが溶解する時には、プラスチックはストランドの繊維と結合し、次いで、冷却する時に複合材料内の合成樹脂のように剛性効果を達成する。これらのプロセス中、有利にはキャリヤ材料も溶解し、突出する虞のある残留部分は、ソールがさらに加工される時に除去される。
【００１７】
しかしながら、ソール１を、他の方法、例えば直接射出または射出成形プロセス、スタンピングプロセスまたはこれらと類似のプロセスによって製造することもできる。ソール１のための材料は、有利には透明または半透明であることができる。少なくとも材料の面のうちの一方は、滑らかであるか、研磨されているかまたは粗くされていることができる。
【００１８】
ソール１は、踵のカップ状部分３の踵領域２において、足弓の領域４、特にウェブ領域を越えて、足の触球の触球領域５、すなわちソール前部７の前方ソール領域若しくは足の前方領域６のほぼ開始部分まで弾性的に形成されているが、実質的には、通常の負荷を受けてもほとんど曲げられることができないように堅い。この剛性は、材料の厚さと繊維のための材料および結合材料の選択とによって決定される。他方では、触球領域５とソール前部７とは、これらが材料の厚さの適切な選択および場合によっては開口８を提供することによって弾性的に曲げられることができるように調整されている。
【００１９】
踵領域２または踵のカップ状部分３とソール前部７とには、両側９，１０に、およそ０．５ｃｍ〜２ｃｍだけ鉛直方向にまたは斜め外方に突出した壁状の縁部が設けられている。この場合、ソール１が足の輪郭に適合されていると有利である。ソール前部７の底部７′は外方に僅かに湾曲、すなわち僅かに下方に湾曲させることができる。壁部の角度は約４５°〜約８０°であってよく、ソール前部７の平面７．１に対して外角αとして測定される。一方の側９に設けられた、踵または踵のカップ状部分３の突出した壁部３．９およびソール前部７のこれらの突出した壁部７．９と、他方の側１０に設けられたこれらの壁部に対応する壁部３．１０，７．１０とは、それぞれの場合において、引張りエレメント１１または１２によって連結されており、これらの引張りエレメント１１，１２は踵のカップ状部分３の上縁部領域３．９．１，３．１０．１とソール前部７の上縁部領域７．９．１，７．１０．１とにおいて、高い引張り強さおよび最小限の弾性的伸びを有する。その結果、ソール前部７は、例えばサッカーのプレー中にボレーでシュートする時に生じるような負荷または、この靴の使用者が足弓の領域において隆起した物体を踏んだ時に生じる虞のあるような負荷によって、もはや下方に曲げられることはできない。このような負荷が生じた場合、全負荷は引張りエレメント１１，１２およびソール１自体によって支持されるので、いかなる種類の負荷も使用者の足の甲には生じない。踵領域２は、引張りエレメント１１または１２によって周方向で掴まれることができる。
【００２０】
引張りエレメント１１，１２は、繊維、糸または少なくとも１つの繊維ストランドから形成することができる。これらの材料は、プラスチック繊維、紡織繊維、炭素繊維、ガラス繊維またはアラミド繊維であってよい。これらの材料は、結合材料、例えば熱可塑性樹脂または熱硬化性樹脂と共に混合することができる熱成形プロセスにおいて繊維、糸および／または繊維ストランドを結合させる。このプロセスは、１つまたは複数の引張りエレメント１１，１２を突出した壁部の縁部に結合するためのプロセスであってもよい。さらに、無端引張りバンドを使用する場合、この無端引張りバンドを、例えば、場合によっては引張りエレメント１１，１２が自由に延びる領域を除いてソール１の周縁部に結合させることができる。しかしながら、個々の引張りバンドまたは無端引張りバンドは、縁部およびソール前部７の底部７′における別の部分および／または、踵または踵のカップ状部分３の底部に部分的にのみ取り付けることもできる。
【００２１】
ソール前部７に、一方の側９から先端部１３を回って他方の側１０まで連続的に、すなわちほぼ貝殻状に形成された、上方を向いた壁部が設けられていると有利である。この壁部は、所望の効果をさらに補助する付加的な剛性を生ぜしめる。ここで、触球領域５における突出した縁部または突出した壁部は、先端部１３の方向の前方よりも高くすることができる。ソール前部７の底部７′に、少なくとも１つの補強ビード７．２が設けられてよい。１つまたは複数のビードは、ソール１の長手方向軸線の方向に延びておりかつ下方に角度付けられていると有利である。
【００２２】
ウェブ領域４は、側方の、特に湾曲した各凹所１４，１５により比較的挟幅であると有利である。ウェブ領域４の幅は、踵領域２または踵のカップ状部分３の最大幅のほぼ５分の１〜４分の３であると有利である。凹所１４，１５によって、足弓の領域４における引張りエレメント１１，１２は、一方の壁部３．９または３．１０から他方の壁部７．９または７．１０までそれぞれ自由に延びている。これにより、足は、足弓の領域において硬いソール１によって被覆されないが、ソール前部７は引張りエレメント１１，１２によって下方に曲がるのを妨止される。
【００２３】
踵のカップ状部分３は、踵の衝突領域において開口３．１を有していてよい。
【００２４】
図３は靴１の踵部分の断面図を示している。上部材料１７は、柔軟で弾性的でフレキシブルな外底１６の内側１６．１に固定、例えば“ストロベル結合(storobeled)”され、貼付け(lasted)および／または糊付けされる。ソール１は、この上部材料１７上に被せられ、有利には例えば糊付けされて上部材料１７に堅く結合されている。ソール１には被覆材料１８が設けられており、この被覆材料は特にソール１に堅く結合されている。被覆材料１８は中敷であってもよい。被覆材料１８は弾性的に変形する材料、特に弾性的なまたは弾性的に調整されたプラスチックから形成される発泡材料から形成されると有利である。発泡性の熱可塑性樹脂または熱硬化性樹脂をこのプラスチックとして使用することができる。ポリアミド、ポリエチレン、ポリウレタンまたはこれらと類似のものから形成されるかまたはこれらのものを基礎とするプラスチックが適している。有利には、被覆材料１８が足の形状に適合されている。被覆材料１８が設けられたソール１は中敷として形成され、靴内に挿入されかつ固定されてもよい。被覆層、例えば被覆材料１８または中敷または快適ソールに結合されたソール１は、“ストロベル結合”された靴内にルーズに被せられるかまたは“ストロベル結合”された靴内に堅く結合することができる。ソール１は、通常のソール基部および中敷の機能、例えばフレキシブル性、安定性、ねじり剛性等を十分に果たすが、現在まで公知である実施例の場合よりも軽量である。
【００２５】
図１から図３による実施例において、引張りエレメント１１，１２または無端引張りエレメントは、壁部３．９，３．１０および７．９，７．１０のそれぞれの内側または外側に提供されてよい。
【００２６】
図４および図５に示した実施例においては、溝３．１０．１および７．１０．１が、壁部３．９，３．１０および７．９，７．１０にそれぞれ設けられており（図１参照）、これらの溝に引張りエレメント１１，１２が配置されかつ固定、特に糊付けされる。引張りエレメント１１，１２が壁部の内側に沿って延びている場合には、溝３．１０．１および７．１０．１は壁部の内側に提供することもできる。溝３．１０．１および７．１０．１の幅は引張りエレメント１１，１２の幅にほぼ相当し、溝３．１０．１および７．１０．１の深さは約０．２ｍｍ〜０．５ｍｍである。有利には、少なくとも１つの低い区分２０を壁部３．９，３．１０および／または７．９，７．１０の間に設けることができ、これにより、引張りエレメント１１，１２はこれらの壁部の間において自由に伸長させられる。図１から図３に示したように、引張りエレメント１１，１２はソール前部７の先端部を包囲するように案内される必要はない。図５に示したように、例えば引張りエレメント１１，１２が爪先の基関節の前方または爪先の基関節の領域２１において終わっていて、そこでソール１の下を横方向に横切っていれば十分であり、また有利でさえある。さらに、図４および図５に示したように、ソール前部７の先端部の領域において突出した壁部を提供する必要はない。さらに、ソール前部７から延びる引張りエレメント１１および１２を、足の触球領域５の後方でまたは足弓の領域４においてソール１の下を横方向に通過させることができる。
【００２７】
有利には、緩衝エレメント２３が、特にソール１の下側１．１、ソール１の凹所２２内、または踵のカップ状部分３の開口３．１内に設けられており、この緩衝エレメント２３は、ソール１の材料にまたはこの材料内に堅く結合される、特に糊付けされるか、またはソール１が製造される時にソールと共に成形される。緩衝エレメント２３はハニカム構造であると有利である。有利には、透明または半透明材料から形成されたソール１の面は緩衝エレメント２３の上で滑らかであるかまたは光沢があり、これにより、緩衝エレメント２３の構造を見ることができる。
【００２８】
当初に述べた種類の特に高い負荷に曝されない靴に提供されるソール１の場合、引張りエレメント１１，１２が足の前方領域６にのみ設けられて、爪先の基関節の領域２１から後部に向かって延びているだけであれば十分であってよい。さらに、これらの引張りエレメント１１，１２は、爪先の基関節の領域２１および／または足弓の領域４、特に触球領域が始まる領域または触球領域５の端部領域においてソール１の下側１．１を横方向に延びかつそこでソール１に固定することができる。
【００２９】
本発明の１つの有利な発展によれば、補強部２５をソール１、特に下側１．１および有利には浅い凹所２４に取り付けることができる。この補強部は、プラスチックまたは繊維強化材料、特にガラス繊維、炭素繊維、プラスチック繊維、紡織繊維、場合によっては熱可塑性樹脂または熱硬化性樹脂から形成される結合材料と共に形成されている。この補強部２５が中断部または開口を有さない湾曲した成形体であると有利である。
【００３０】
有利には、本発明によるソール１は、上部材料１７が外底１６の内側１６．１に取り付けられかつ固定され、以下のような靴において使用することができる。すなわち、ソール１は、スルーソールとして、上部材料１７および場合によっては外底の内側１６．１の自由なままの部分に堅く結合され、中敷または被覆材料１８は、ソール１上に提供され、特にソール１に堅く結合される。
【００３１】
本発明によるソールは、サッカー、アメリカンフットボール、クリケット、野球または、ゴルフ等のための靴またはブーツに特に適している。
【図面の簡単な説明】
【図１】  本発明によるソールの斜視図を示している。
【図２】  図１に示したソールの平面図を示している。
【図３】  図１および図２に示したソールを使用した靴の部分の縦断面図を示している。
【図４】  踵領域に設けられた緩衝エレメントと引張りエレメントのための特別なガイドとを備えたソールの側面図を示している。
【図５】  外底が断面で示された、図４と同様の図を示している。
【符号の説明】
１  ソール、  １．１  下側、  ２  踵領域、  ３  踵のカップ状部分、  ３．１  開口、  ３．９，３．１０  突出した壁部、  ３．９．１，３．１０．１  上縁部領域、  ３．１０．１，７．１０．１  溝、  ４  領域、  ５  触球領域、  ６  前方ソール領域、  ６  足の前方領域、  ７  ソール前部、  ７′  底部、  ７．１  平面、  ７．２  補強ビード、  ７．９，７．１０  壁部、  ７．９．１，７，１０，１  上縁領域、  ８  開口、  ９，１０  側、  １１，１２  引張りエレメント、  １３  先端部、  １４，１５  凹所、  １６  外底、  １６．１  内側、  １７  上部材料、  １８  被覆材料、  ２１  領域、  ２２  凹所、  ２３  緩衝エレメント、  ２４  浅い凹所、  ２５  補強部、  ２６  繊維強化層
【図１】
0003710782.tif 000002
【図２】
0003710782.tif 000003
【図３】
0003710782.tif 000004
【図４】
0003710782.tif 000005
【図５】
0003710782.tif 000006